(57)【要約】  表示処理部１０４は、商品のレイアウトを設定したい什器のサイズに基づき、当該什器に対応する什器モデルを表示するとともに、当該什器において設定されたフェイスグループに対応する入力ボックスを什器モデル内に複数表示する。表示処理部１０４は、いずれか１つの入力ボックスが指定されると、指定された入力ボックスに対応するフェイスグループのサイズに対応付けられた複数のレイアウト候補を択一選択可能なリストとして表示する。登録部１０８は、いずれか１つのレイアウト候補が選択されると、選択されたレイアウト候補を、指定された入力ボックスに対応するフェイスグループに含まれる基本フェイスにおける商品のレイアウトとして、当該什器を特定する情報に対応付けて記憶する。
2011121988.tif 000002
【特許請求の範囲】
【請求項１】
複数列複数段で構成され、各一の列と各一の段とで指定される一つの領域を一つの商品を配置する基本フェイスとする什器におけるレイアウトを設定するために利用されるレイアウト作成支援システムであって、
所定列数×所定段数の２以上の前記基本フェイスで構成されたフェイスグループのサイズ毎に、商品のレイアウト候補を複数記憶するレイアウト候補記憶部と、
商品のレイアウトを設定したい什器のサイズに基づき、当該什器に対応する什器モデルを表示するとともに、当該什器に関し設定された前記フェイスグループに対応する入力ボックスを当該什器のサイズおよび前記フェイスグループのサイズに基づいて当該什器モデル内に複数表示する表示処理部と、
什器における商品のレイアウトを記憶する登録部と、
を含み、
前記表示処理部は、前記什器モデルおよび前記入力ボックスを、いずれか１つの前記入力ボックスを指定可能に表示し、
前記表示処理部は、いずれか１つの前記入力ボックスが指定されると、前記レイアウト候補記憶部を参照して、指定された前記入力ボックスに対応する前記フェイスグループのサイズに基づき、当該サイズの前記フェイスグループに対応付けられた複数の前記レイアウト候補を択一選択可能なリストとして表示し、
前記登録部は、いずれか１つの前記レイアウト候補が選択されると、選択されたレイアウト候補を、指定された前記入力ボックスに対応する前記フェイスグループに含まれる前記基本フェイスにおける商品のレイアウトとして、当該什器を特定する情報に対応付けて記憶するレイアウト作成支援システム。
【請求項２】
請求項１に記載のレイアウト作成支援システムにおいて、
前記レイアウト候補記憶部は、前記什器のサイズ毎に、前記フェイスグループのサイズも対応付けて記憶し、
前記表示処理部は、商品のレイアウトを設定したい什器のサイズに基づき、前記レイアウト候補記憶部を参照して、当該什器のサイズに対応して記憶されたサイズの前記フェイスグループに対応する前記入力ボックスを当該什器のサイズおよび前記フェイスグループのサイズに基づいて前記什器モデル内に複数表示するレイアウト作成支援システム。
【請求項３】
請求項２に記載のレイアウト作成支援システムにおいて、
前記フェイスグループは、各前記什器の列数×１段の基本フェイスで構成され、各什器の各段毎に設定されたレイアウト作成支援システム。
【請求項４】
請求項１から３いずれか１項に記載のレイアウト作成支援システムにおいて、
商品のレイアウトを設定したい什器につき、当該什器を特定する情報の入力を受け付ける入力受付部をさらに含み、
前記登録部は、前記入力受付部が入力を受け付けた前記什器を特定する情報に対応付けて、前記商品のレイアウトを記憶するレイアウト作成支援システム。
【請求項５】
請求項４に記載のレイアウト作成支援システムにおいて、
什器を特定する情報と、当該什器のサイズとを対応付けて記憶する記憶部をさらに含み、
前記表示処理部は、前記記憶部を参照して、前記入力受付部が受け付けた前記什器を特定する情報に対応付けられた什器のサイズに基づき、前記什器モデルおよび前記入力ボックスを表示するレイアウト作成支援システム。
【請求項６】
請求項１から４いずれか１項に記載のレイアウト作成支援システムにおいて、
商品のレイアウトを設定したい什器につき、当該什器のサイズの指定を受け付ける入力受付部をさらに含み、
前記表示処理部は、前記入力受付部が受け付けた前記什器のサイズに基づき、前記什器モデルおよび前記入力ボックスを表示するレイアウト作成支援システム。
【請求項７】
複数列複数段で構成され、各一の列と各一の段とで指定される一つの領域を一つの商品を配置する基本フェイスとする什器におけるレイアウトを設定するために利用されるレイアウト作成支援プログラムであって、
コンピュータを、
所定列×所定段の２以上の前記基本フェイスで構成されたフェイスグループのサイズ毎に、商品のレイアウト候補を複数記憶するレイアウト候補記憶手段、
商品のレイアウトを設定したい什器のサイズに基づき、当該什器に対応する什器モデルを表示するとともに、当該什器において設定された前記フェイスグループに対応する入力ボックスを当該什器のサイズおよび前記フェイスグループのサイズに基づいて前記什器モデル内に複数表示する表示処理手段、
什器における商品のレイアウトを記憶する登録手段、
として機能させ、
前記表示処理手段は、前記什器モデルおよび前記入力ボックスを、いずれか１つの前記入力ボックスを指定可能に表示し、
前記表示処理手段は、いずれか１つの前記入力ボックスが指定されると、前記レイアウト候補記憶手段を参照して、指定された前記入力ボックスに対応する前記フェイスグループのサイズに基づき、当該サイズの前記フェイスグループに対応付けられた複数の前記レイアウト候補を択一選択可能なリストとして表示し、
前記登録手段は、いずれか１つの前記レイアウト候補が選択されると、選択されたレイアウト候補を、指定された前記入力ボックスに対応する前記フェイスグループに含まれる前記基本フェイスにおける商品のレイアウトとして、当該什器を特定する情報に対応付けて記憶するレイアウト作成支援プログラム。
【発明の詳細な説明】
【技術分野】
【０００１】
本発明は、陳列する商品のレイアウトの作成を支援する技術に関する。
【背景技術】
【０００２】
商品の売上は、商品配置等に依存する。下記特許文献１には、売場に自動販売機を設置した場合の、売場側の顧客利益を算出するシミュレーションおよびその効果検証を行う技術が記載されている。当該文献において、設置計画作成段階では必要最小限のデータで迅速にシミュレーション結果を得るとともに、計画提案段階では機種特性および商品配置に配慮することにより、計画作成段階よりも高い精度のシミュレーション結果を得るようにした構成が記載されている。
【先行技術文献】
【特許文献】
【０００３】
【特許文献１】特開２００３−２０３１５５号公報
【発明の概要】
【発明が解決しようとする課題】
【０００４】
ところで、近年、コンビニエンスストア等の小売店舗が増加している。このような小売店舗では、商品の配置スペースが限られていることから、いかに効率よく、顧客の目を引くように商品をレイアウトできるかが重要となっている。とくに、たばこの販売において、自動販売機でたばこを購入する際には、taspo（タスポ）と呼ばれる成人識別ＩＤカードが必要となったこともあり、従来よりも小売店舗等での対面売場での販売が増加している。そのため、対面売場の重要度が増加しており、対面売場である店舗に配置された什器における商品のレイアウトを魅力的にする必要が生じている。【０００５】
しかし、什器を用いた場合、自動販売機のように画一的ではなく、商品を様々にレイアウトできるため、効率よくレイアウトを設定するのが困難であった。【０００６】
本発明は上記事情に鑑みてなされたものであり、その目的とするところは、店舗に配置される什器に陳列する商品のレイアウトを簡易な方法で設定する技術を提供することにある。
【課題を解決するための手段】
【０００７】
本発明の第１の態様は、複数列複数段で構成され、各一の列と各一の段とで指定される一つの領域を一つの商品を配置する基本フェイスとする什器におけるレイアウトを設定するために利用されるレイアウト作成支援システムに関する。第１の態様に係るレイアウト作成支援システムは、所定列数×所定段数の２以上の前記基本フェイスで構成されたフェイスグループのサイズ毎に、商品のレイアウト候補を複数記憶するレイアウト候補記憶部と、商品のレイアウトを設定したい什器のサイズに基づき、当該什器に対応する什器モデルを表示するとともに、当該什器に関し設定された前記フェイスグループに対応する入力ボックスを当該什器のサイズおよび前記フェイスグループのサイズに基づいて当該什器モデル内に複数表示する表示処理部と、什器における商品のレイアウトを記憶する登録部と、を含み、前記表示処理部は、前記什器モデルおよび前記入力ボックスを、いずれか１つの前記入力ボックスを指定可能に表示し、前記表示処理部は、いずれか１つの前記入力ボックスが指定されると、前記レイアウト候補記憶部を参照して、指定された前記入力ボックスに対応する前記フェイスグループのサイズに基づき、当該サイズの前記フェイスグループに対応付けられた複数の前記レイアウト候補を択一選択可能なリストとして表示し、前記登録部は、いずれか１つの前記レイアウト候補が選択されると、選択されたレイアウト候補を、指定された前記入力ボックスに対応する前記フェイスグループに含まれる前記基本フェイスにおける商品のレイアウトとして、当該什器を特定する情報に対応付けて記憶する。【０００８】
本発明の第２の態様は、複数列複数段で構成され、各一の列と各一の段とで指定される一つの領域を一つの商品を配置する基本フェイスとする什器におけるレイアウトを設定するために利用されるレイアウト作成支援プログラムに関する。第２の態様に係るレイアウト作成支援プログラムは、コンピュータを、所定列数×所定段数の２以上の前記基本フェイスで構成されたフェイスグループのサイズ毎に、商品のレイアウト候補を複数記憶するレイアウト候補記憶手段、商品のレイアウトを設定したい什器のサイズに基づき、当該什器に対応する什器モデルを表示するとともに、当該什器において設定された前記フェイスグループに対応する入力ボックスを当該什器のサイズおよび前記フェイスグループのサイズに基づいて前記什器モデル内に複数表示する表示処理手段、什器における商品のレイアウトを記憶する登録手段、として機能させ、前記表示処理手段は、前記什器モデルおよび前記入力ボックスを、いずれか１つの前記入力ボックスを指定可能に表示し、前記表示処理手段は、いずれか１つの前記入力ボックスが指定されると、前記レイアウト候補記憶手段を参照して、指定された前記入力ボックスに対応する前記フェイスグループのサイズに基づき、当該サイズの前記フェイスグループに対応付けられた複数の前記レイアウト候補を択一選択可能なリストとして表示し、前記登録手段は、いずれか１つの前記レイアウト候補が選択されると、選択されたレイアウト候補を、指定された前記入力ボックスに対応する前記フェイスグループに含まれる前記基本フェイスにおける商品のレイアウトとして、当該什器を特定する情報に対応付けて記憶する。【０００９】
この構成によれば、各什器の各基本フェイス毎に商品のレイアウトを設定するのではなく、フェイスグループ毎に当該フェイスグループに含まれる基本フェイスにおける商品のレイアウトを設定するので、効率よく各基本フェイスにおける商品のレイアウトを設定することができる。また、フェイスグループ毎にレイアウト候補を設定するので、ある程度レイアウト候補のパターンを絞り込むことができ、レイアウト候補の設定も簡易に行うことができる。【００１０】
なお、本発明の他の態様として、以上の構成要素をコンピュータで実行する方法、上記第２の態様に係るレイアウト作成支援プログラムを記録したコンピュータが読み取り可能な記憶媒体であってもよい。
【発明の効果】
【００１１】
本発明によれば、店舗に配置される什器に陳列する商品のレイアウトを簡易な方法で設定することができる。
【図面の簡単な説明】
【００１２】
上述した目的、およびその他の目的、特徴および利点は、以下に述べる好適な実施の形態、およびそれに付随する以下の図面によってさらに明らかになる。【００１３】
【図１】本発明の実施の形態におけるレイアウト作成支援システムの構成の一例を示すブロック図である。
【図２】たばこのパックの斜視構成を模式的に示す図である。
【図３】本発明の実施の形態において、商品のレイアウトを設定する対象の什器の正面の構成を模式的に示す図である。
【図４】レイアウト候補記憶部の構成の一例を示す図である。
【図５】レイアウト候補記憶部の構成の一例を示す図である。
【図６】本発明の実施の形態におけるレイアウト作成支援システムの処理手順を示すフローチャートである。
【図７】本発明の実施の形態において什器におけるレイアウトを設定する際に、ユーザのディスプレイに表示される画面の例を示す図である。
【図８】本発明の実施の形態において什器におけるレイアウトを設定する際に、ユーザのディスプレイに表示される画面の例を示す図である。
【図９】本発明の実施の形態において什器におけるレイアウトを設定する際に、ユーザのディスプレイに表示される画面の例を示す図である。
【図１０】本発明の実施の形態において什器におけるレイアウトを設定する際に、ユーザのディスプレイに表示される画面の例を示す図である。
【図１１】本発明の実施の形態において什器におけるレイアウトを設定する際に、ユーザのディスプレイに表示される画面の例を示す図である。
【図１２】本発明の実施の形態において什器におけるレイアウトを設定する際に、ユーザのディスプレイに表示される画面の例を示す図である。
【図１３】本発明の実施の形態において什器におけるレイアウトを設定する際に、ユーザのディスプレイに表示される画面の例を示す図である。
【図１４】本発明の実施の形態において什器におけるレイアウトを設定する際に、ユーザのディスプレイに表示される画面の例を示す図である。
【図１５】本発明の実施の形態において什器におけるレイアウトを設定する際に、ユーザのディスプレイに表示される画面の例を示す図である。
【図１６】本発明の実施の形態において什器におけるレイアウトを設定する際に、ユーザのディスプレイに表示される画面の例を示す図である。
【図１７】本発明の実施の形態において什器におけるレイアウトを設定する際に、ユーザのディスプレイに表示される画面の例を示す図である。
【図１８】図６に示した手順において記憶部に記憶されるデータの構成の一例を示す図である。
【図１９】図６に示した手順において記憶部に記憶されるデータの構成の一例を示す図である。
【図２０】棚割情報記憶部の構成の一例を示す図である。
【図２１】図１７に示した什器情報で特定される什器にそれぞれレイアウト欄に設定されたレイアウトで商品が陳列された状態を示す図である。
【図２２】本発明の実施の形態におけるレイアウト作成支援システムの構成を示す模式図である。
【図２３】本発明の実施の形態におけるレイアウト作成支援システムの構成の他の例を示すブロック図である。
【図２４】本発明の実施の形態において什器におけるレイアウトを設定する際に、ユーザのディスプレイに表示される画面の例を示す図である。
【図２５】本発明の実施の形態において、商品のレイアウトを設定する対象の什器の構成を模式的に示す正面図である。
【発明を実施するための形態】
【００１４】
以下、本発明の実施の形態について、図面を用いて説明する。尚、すべての図面において、同様の構成要素には同様の符号を付し、適宜説明を省略する。
【００１５】
図１は、本実施の形態におけるレイアウト作成支援システムの構成の一例を示すブロック図である。
レイアウト作成支援システム２０は、表示処理部１０４、入力受付部１０６、登録部１０８、棚割情報記憶部１２０、およびレイアウト候補記憶部１２２を含む。
【００１６】
レイアウト作成支援システム２０は、たとえばコンビニエンスストア等の小売店舗である各店舗の什器に陳列する商品のレイアウトを設定するために利用される。本実施の形態において、什器は、たとえば複数列複数段で構成され、各一の列と各一の段とで指定される一つの領域が一つの商品を配置する基本フェイスとして構成される。
【００１７】
入力受付部１０６は、たとえばキーボード、マウス、操作キー等の操作部（不図示）を介してユーザからの指示を受け付ける。表示処理部１０４は、ディスプレイ等の表示部（不図示）に、各種情報を表示する。
【００１８】
レイアウト候補記憶部１２２は、所定列数×所定段数の２以上の基本フェイスで構成されたフェイスグループのサイズ毎に、商品のレイアウト候補を複数記憶する。
【００１９】
登録部１０８は、什器における商品のレイアウトを当該什器を特定する情報に対応付けて棚割情報記憶部１２０に記憶する。
【００２０】
以下、本実施の形態において、商品がたばこで、什器に種々の銘柄のたばこを陳列する場合を例として説明する。図２は、たばこ４４０のパックの斜視構成を模式的に示す図である。ここで、たばこ４４０のパックは、銘柄名等が表示された表面４５０（最大面）、たばこ４４０のパックを表面４５０を前面にして縦置きした場合に底面となる底面４５４（最小面）、たばこ４４０のパックを表面４５０を前面にして縦置きした場合の側面となる側面４５２を含む。
【００２１】
図３は、本実施の形態において、レイアウトを設定する対象の什器の正面の構成を模式的に示す図である。図３（ａ）は、３列５段で構成される什器４１０ａの構成、図３（ｂ）は、４列５段で構成される什器４１０ｂの構成を示す。
【００２２】
図３（ａ）に示すように、什器４１０ａは、横３列×縦５段の合計１５個の基本フェイス４１４を有する。また、図３（ｂ）に示すように、什器４１０ｂは、横４列×縦５段の合計２０個の基本フェイス４１４を有する。本実施の形態において、基本フェイス４１４は、たばこ４４０のパックをその最小面の底面４５４を底面にするとともに最大面の表面４５０を前面にした場合に陳列可能なサイズとすることができる。
【００２３】
本実施の形態において、各基本フェイス４１４における商品のレイアウトは、基本フェイス４１４毎に設定するのではなく、所定列数×所定段数の２以上の基本フェイス４１４で構成されたフェイスグループ単位で設定していく。これにより、効率よく各基本フェイス４１４における商品のレイアウトを設定することができる。
【００２４】
図４は、レイアウト候補記憶部１２２の構成の一例を示す図である。
レイアウト候補記憶部１２２は、什器サイズ（列数）欄と、フェイスグループサイズ欄と、レイアウト選択肢欄とを含む。本実施の形態において、レイアウト候補記憶部１２２は、什器のサイズ毎に、フェイスグループのサイズも対応付けて記憶することができる。
【００２５】
また、フェイスグループは、列数×１段の基本フェイス４１４で構成され、各什器の各段毎に設定することができる。たとえば、什器サイズ（列）が「３」の什器は、フェイスグループサイズが「３列×１段」と設定されている。つまり、ここでは段単位でフェイスグループが設定されている。また、フェイスグループサイズ「３列×１段」には、レイアウト選択肢として、「フリー」、「単品３」、「ツマ２」、「ツマ縦３」等が設定されている。
【００２６】
同様に、たとえば、什器サイズ（列）が「４」の什器は、フェイスグループサイズが「４列×１段」と設定されている。つまり、ここでも段単位でフェイスグループが設定されている。また、フェイスグループサイズ「４列×１段」には、レイアウト選択肢として、「フリー」、「単品４」、「ツマ３」、「ツマ縦４」、「単品２＋ツマ縦２」等が設定されている。
【００２７】
図３に示した構成において、レイアウト候補記憶部１２２にこのように設定されている場合、図２５に示すように、什器４１０ａおよび什器４１０ｂには、それぞれ段毎にフェイスグループ４１６およびフェイスグループ４１８が設定される。
【００２８】
また、レイアウト候補記憶部１２２は、レイアウト図を記憶することもできる。図５は、レイアウトの名称とレイアウト図とが対応付けられた表を示す図である。ここでは、たばこ４４０が陳列された什器の正面図をレイアウト図として示している。
【００２９】
たとえば、レイアウト選択肢として表記される「単品」とは、たばこ４４０のパック単体を縦型に、即ち、その表面４５０を前面にしてその底面４５４を底面にした状態で、配置することを意味する。よって、「単品３」とは、「単品」配置のたばこ４４０のパックを横方向に３つ並べたレイアウトを意味する。
【００３０】
また、レイアウト選択肢として表記される「ツマ」とは、たばこ４４０のパックのカートン（単体５×２の１０パック）を、その最小面を前後方向に向け、かつ、その最大面を上下方向に向けた状態で配置することを意味する。これにより、「ツマ」配置では、当該カートンの中の各パックは、上下に２つずつ積まれ、かつ、その最大面である表面４５０が上下方向を向き、かつ、その側面４５２が前後方向を向く状態となる。よって、「ツマ２」とは、「ツマ」配置の当該カートンを横方向に２つ並べたレイアウトを意味する。
【００３１】
また、レイアウト選択肢として表記される「ツマ縦」とは、たばこ４４０のパックのカートン（単体５×２の１０パック）を、その最小面を前後方向に向け、かつ、その最大面を横方向に向けた状態で配置することを意味する。これにより、「ツマ縦」配置では、当該カートンの中の各パックは、横方向に２つずつ並び、かつ、その表面４５０が横方向を向き、かつ、その側面４５２が前後方向を向く状態となる。よって、「ツマ縦３」とは、「ツマ縦」配置の当該カートンを横方向に３つ並べたレイアウトを意味する。なお、ここでは示していないが、レイアウト選択肢として表記される「フリー」とは、たとえばライターや各種小物を自由に配置することを意味する。
【００３２】
図６は、本実施の形態におけるレイアウト作成支援システム２０の処理手順を示すフローチャートである。
まず、入力受付部１０６は、商品のレイアウトを設定したい什器につき、当該什器を特定する情報（以下、単に什器情報ともいう。）の入力を受け付ける（ステップＳ１００）。また、入力受付部１０６は、商品のレイアウトを設定したい什器につき、当該什器のサイズの指定を受け付ける（ステップＳ１０２）。ここで、什器のサイズとしては、列数および段数を指定することもでき、列数のみを指定することもできる。
【００３３】
表示処理部１０４は、入力受付部１０６が受け付けた什器のサイズに基づき、当該什器に対応する什器モデルをユーザのディスプレイに表示する。また、表示処理部１０４は、入力受付部１０６が受け付けた什器のサイズに基づき、レイアウト候補記憶部１２２を参照して、当該什器のサイズに対応して記憶されたサイズのフェイスグループに対応する複数の入力ボックスを当該什器のサイズおよびフェイスグループのサイズに基づいて什器モデル内に表示する。また、表示処理部１０４は、什器モデルをいずれか１つの入力ボックスを指定可能に表示する（ステップＳ１０４）。
【００３４】
図７から図１７は、本実施の形態において、什器における商品のレイアウトを設定する際に、ユーザのディスプレイに表示される画面の例を示す図である。
図７に示すように、入力画面５２０には入力テーブル５２２が表示される。入力テーブル５２２には、予め設定された項目名等が表示される項目欄５２２ａと、ユーザが入力するデータが表示される入力欄５２２ｂとが含まれる。
【００３５】
入力テーブル５２２は、什器情報欄５２６、サイズ（列）欄５２８、およびレイアウト欄５３０を含む。什器情報欄５２６には、商品のレイアウトを設定したい什器の什器情報を入力する。また、サイズ（列）欄５２８には、商品のレイアウトを設定したい什器のサイズ（列）を入力する。
【００３６】
レイアウト欄５３０には、商品のレイアウトを入力する。レイアウト欄５３０では、項目として、什器の段数に対応する段数「上」、「１」、「２」、「３」、「４」、「５」・・・等が表示されている。ここでは、什器の上段側から１段、２段・・とカウントする構成となっている。また、什器の上面にも商品を陳列できる場合があるので、「上」という項目も設けられている。
【００３７】
また、入力テーブル５２２の入力欄５２２ｂには指定枠５１２が表示されている。ユーザは操作部等を用いて指定枠５１２を入力欄５２２ｂの任意のマス目に移動して、データを入力するマス目を指定することができる。なお、什器情報欄５２６およびサイズ（列）欄５２８に対応する入力欄５２２ｂの各マス目は、一つの什器に対応する。すなわち、ここでは各列が各什器に対応している。
【００３８】
たとえば、図７に示した例では、什器情報欄５２６の１列目に指定枠５１２が表示されている。たとえばユーザが、操作部を用いて什器情報「１−２−３−１」を入力すると、この列の什器が什器情報「１−２−３−１」で特定されることになる。ここで、「１−２−３−１」は、たとえば（店コード）−（売場ナンバー）−（什器グループナンバー）−（什器ナンバー）に対応する番号等とすることができる。この後、ユーザが操作部等を用いて指定枠５１２を同じ列（１列目）のサイズ（列）欄５２８に移動し、たとえば列数「３」を入力する（図８（ａ））。これにより、什器情報「１−２−３−１」の什器につき、列数が「３」であることが設定される。
【００３９】
このように什器のサイズ（列数）が指定されると、表示処理部１０４は、什器モデル５０４ａおよび入力ボックス５０３をユーザのディスプレイに表示する（図８（ｂ））。なお、ここで、破線で示した枠は説明のために示しており、ユーザのディスプレイに表示されるのではない。
【００４０】
ここでは、図４を参照して説明したように、フェイスグループのサイズが３列×１段と設定され、入力ボックス５０３が各段に一つずつ含まれるようになっている。そのため、入力テーブル５２２の構成は、図８（ａ）に示した例から変化が生じていないように見える。
【００４１】
しかし、たとえば什器の列数が「４」で、フェイスグループのサイズが２列×１段と設定されている場合、什器の各段には入力ボックス５０３が２つずつ含まれることになる。この場合、入力テーブル５２２は、たとえば図９（ａ）に示したような構成とすることができる。
【００４２】
また、たとえば什器の列数が「３」で、フェイスグループのサイズが３列×２段と設定されている場合、什器の２段毎に入力ボックス５０３が設けられることになる。この場合、入力テーブル５２２は、たとえば図９（ｂ）に示したような構成とすることができる。
【００４３】
また、図８に示した構成においては、什器の列数だけを入力する構成としているが、什器の段数も入力する構成とすることもできる。図１０は、入力テーブル５２２がサイズ（段）欄５２９も含む例を示す。このような構成において、たとえば什器の段数が「５」と入力されると、６段目以降の領域にはハッチング等を表示して、什器モデル５０４ａの範囲を見やすくしたり、指定枠５１２で指定できないような構成とすることもできる。
【００４４】
なお、以上では、ユーザが什器を特定する情報および什器のサイズをそれぞれ入力する例を示したが、レイアウト作成支援システム２０は、たとえば什器を特定する情報と、当該什器のサイズとを対応付けて記憶する記憶部を含む構成とすることもできる。この場合、什器番号欄５２６に什器情報が入力されると、表示処理部１０４は、什器を特定する情報に基づき、記憶部を参照して、当該什器を特定する情報に対応付けられた什器のサイズを取得して、サイズ（列）欄５２８に表示し、サイズに応じた什器モデル５０４ａおよび入力ボックス５０３を表示することもできる。
【００４５】
図８（ｂ）に示した例に戻り、什器モデル５０４ａが表示された後、ユーザが操作部等を用いて指定枠５１２を同じ列（１列目）のレイアウト欄５３０の「１」に対応する入力ボックス５０３に移動して、たとえば「決定」キー等を押すと、入力受付部１０６は、その入力ボックス５０３の指定を受け付ける（図１１（ａ）、図６のステップＳ１０６）。
【００４６】
表示処理部１０４は、いずれか１つの入力ボックス５０３が指定されると、レイアウト候補記憶部１２２を参照して、指定された入力ボックス５０３に対応するフェイスグループのサイズに基づき、当該サイズのフェイスグループに対応付けられた複数の前記レイアウト候補を択一選択可能なリストとして表示する（図６のステップＳ１０８）。
【００４７】
ここで、図４に示したように、フェイスグループサイズ「３列×１段」には、レイアウト選択肢として、「フリー」、「単品３」、「ツマ２」、「ツマ縦３」等が設定されている。そのため、表示処理部１０４は、図１１（ｂ）に示すように、「フリー」、「単品３」、「ツマ２」、「ツマ縦３」等と表示された選択肢ボタン５４２と、キャンセルボタン５４６等を含む選択リスト５４０をユーザのディスプレイに表示する。ここで、選択リスト５４０は、入力テーブル５２２上に重ねて表示しているが、ユーザがたとえばＰＣで操作を行っており、ディスプレイが大きい場合には、入力テーブル５２２と重ならないように表示することもできる。
【００４８】
ここで、選択リスト５４０には、選択枠５４８も表示されており、ユーザは、操作部等を用いて選択枠５４８をいずれか１つの選択肢ボタン５４２またはキャンセルボタン５４６を選択するように移動させることができる。また、このとき、表示処理部１０４は、図５に示したようなレイアウト図をユーザのディスプレイに表示することもできる。これにより、ユーザが商品のレイアウトを容易に把握することができる。
【００４９】
たとえば、図１２（ａ）に示すように、ユーザが「単品３」と表示された選択肢ボタン５４２に選択枠５４８を移動させて、「決定」キー等を押すと、入力受付部１０６は、そのレイアウト候補の選択を受け付ける（図６のステップＳ１１０）。
【００５０】
これにより、登録部１０８は、選択されたレイアウト候補を、指定された入力ボックス５０３に対応するフェイスグループに含まれる基本フェイスにおける商品のレイアウトとして、当該什器を特定する情報に対応付けて棚割情報記憶部１２０に記憶する（図６のステップＳ１１２）。また、表示処理部１０４は、該当する入力ボックス５０３に、選択された商品のレイアウトを表示する（図１２（ｂ））。
【００５１】
図１８および図１９は、図６に示した手順の処理中に棚割情報記憶部１２０に記憶されるデータの構成の一例を示す図である。棚割情報記憶部１２０は、什器欄、基本フェイス欄、およびフェイスグループ欄を含む。什器欄は、什器情報欄、列数欄、および段数欄を含む。基本フェイス欄は、段欄、および列欄を含む。フェイスグループ欄は、サイズ欄およびレイアウト欄を含む。
【００５２】
什器情報欄には、図６のステップＳ１００で入力された什器情報が記憶される。また、什器欄の列数欄には、ステップＳ１０２で入力された什器のサイズ（列数）が記憶される。什器の列数が指定されると、棚割情報記憶部１２０の基本フェイス欄には、各基本フェイスを段および列で特定するマス目が列数に対応した数作成される。さらに、什器の列数が指定されると、フェイスグループ毎に、当該フェイスグループのサイズが記憶される。図１８（ａ）は、この状態を示す図である。
【００５３】
次いで、ステップＳ１０６で、いずれか１つの入力ボックス５０３が選択されると、当該入力ボックス５０３に対応するフェイスグループ欄のレイアウト欄が指定領域１２４として認識される（図１８（ｂ））。この状態で、図６のステップＳ１０８で、いずれか１つのレイアウト候補が選択されると、選択されたレイアウト候補がそのフェイスグループのレイアウトとしてレイアウト欄に記憶される（図１９）。
【００５４】
図１２（ｂ）に戻り、この後、ユーザが操作部等を用いて指定枠５１２を同じ列（１列目）のレイアウト欄５３０の「２」に対応する入力ボックス５０３に移動して、たとえば「決定」キー等を押すと、入力受付部１０６は、その入力ボックス５０３の指定を受け付ける（図１３（ａ））。この後、図１１（ｂ）を参照して説明したのと同様に、表示処理部１０４は、選択リスト５４０を表示する。このとき、表示処理部１０４は、直前に指定された入力ボックス５０３で選択されたレイアウト候補の選択肢ボタン５４２に選択枠５４８が表示された状態で選択リスト５４０を表示することができる。これにより、連続して処理する際のユーザの手間を低減させることができる。ここでは、たとえば図１２（ａ）を参照して説明したように、直前の入力ボックス５０３で「単品３」が選択されたので、「単品３」の選択肢ボタン５４２に選択枠５４８が表示されている（図１３（ｂ））。
【００５５】
なお、他の例において、選択肢ボタン５４２を選択枠５４８で選択するのではなく、選択枠５４８にカーソルを合わせてクリックすることにより、当該選択肢ボタン５４２が選択される構成とすることもできる。この場合も、表示処理部１０４は、直前に指定された入力ボックス５０３で選択されたレイアウト候補の選択肢ボタン５４２にカーソルが表示された状態で選択リスト５４０を表示することができる。
【００５６】
同様の処理を繰り返し、各段の商品のレイアウトを設定する（図１４（ａ）、図１４（ｂ））。この後、たとえば５段目までで什器情報「１−２−３−１」で特定される什器の商品のレイアウトの設定が終了し、ユーザがたとえば「終了」キー等を押すと、入力受付部１０６は、処理の終了を受け付ける。表示処理部１０４は、たとえば６段目以降の領域にはハッチング等を表示することができる（図１５）。
【００５７】
この後、図１６（ａ）に示すように、ユーザが操作部等を用いて指定枠５１２を隣の列（２列目）に移動することにより、別の什器における商品のレイアウトを設定することができる。ここでは、什器情報が「１−２−３−２」、列数が「４」と入力されている。この場合も、什器モデル５０４ａの場合と同様に、什器モデル５０４ｂおよび入力ボックス５０３が表示される。この後、ユーザが操作部等を用いて指定枠５１２を同じ列（２列目）のレイアウト欄５３０の「１」に対応する入力ボックス５０３に移動して、たとえば「決定」キー等を押すと、入力受付部１０６は、その入力ボックス５０３の指定を受け付ける。この後、表示処理部１０４は、選択リスト５４０を表示する。このとき、この入力ボックス５０３のフェイスグループサイズは「４列×１段」であるので、表示処理部１０４は、選択リスト５４０に、図４に示したフェイスグループサイズ「４列×１段」に対応する「フリー」、「単品４」、「ツマ３」、「ツマ縦４」等と表示された選択肢ボタン５４２を表示する（図１６（ｂ））。
【００５８】
図１７は、什器情報「１−２−３−２」で特定される什器における商品のレイアウトの設定も終了した状態を示す図である。ここでは、什器情報「１−２−３−２」で特定される什器も、５段構成となっている。
【００５９】
図２０は、この状態の棚割情報記憶部１２０の構成の一例を示す図である。
ここでは、什器情報「１−２−３−１」で特定される什器は、３つの基本フェイス毎に商品のレイアウトが設定されており、什器情報「１−２−３−２」で特定される什器は、４つの基本フェイス毎に商品のレイアウトが設定されている。
【００６０】
図２１は、図１７に示した什器情報「１−２−３−１」および什器情報「１−２−３−２」で特定される什器にそれぞれレイアウト欄５３０に設定されたレイアウトで商品（たばこ４４０）が陳列された状態を示す図である。ここで、図２１（ａ）の什器４１０ａが什器情報「１−２−３−１」で特定される什器、図２１（ｂ）の什器４１０ｂが什器情報「１−２−３−２」で特定される什器である。表示処理部１０４は、このような什器の模式図を、ユーザのディスプレイに表示することもできる。
【００６１】
図２２は、本実施の形態におけるレイアウト作成支援システム２０を適用するネットワーク構成の一例を示す模式図である。
本実施の形態において、レイアウト作成支援システム２０は、携帯電話端末１００と、データセンタ３００と、営業所端末装置３６０とにより構成することができる。
携帯電話端末１００、データセンタ３００および営業所端末装置３６０は、ネットワーク３５０を介してデータの送受信を行う。ネットワーク３５０は、たとえばインターネット、イントラネット、携帯電話通信網等の組合せとすることができる。営業所端末装置３６０は、営業所に配置された、たとえばＰＣ（パーソナルコンピュータ）等の端末とすることができる。
【００６２】
本実施の形態において、以上で説明した什器に陳列する商品のレイアウトの設定は、たとえば営業所端末装置３６０や携帯電話端末１００を用いて行うことができる。図２３は、この構成を示すブロック図である。ここで、携帯電話端末１００（または営業所端末装置３６０）は、図１に示した構成に加えて、送受信部１０２を含む。送受信部１０２は、ネットワーク３５０を介して他の端末との間でデータの送受信を行う。
【００６３】
たとえば、ユーザは、新たな什器の商品のレイアウトを設定する際には、営業所端末装置３６０等のＰＣから、たとえば売場写真等を見ながら商品のレイアウトを設定することができる。ＰＣの方がディスプレイも大きく、効率よく設定することができる。一方、既に対象の什器の商品のレイアウトを設定しており、一部のみを変更する場合等には、たとえば携帯電話端末１００を持って店舗に行き、実際の売場を見ながら該当部分の更新を行うようにすることができる。
【００６４】
なお、レイアウト候補記憶部１２２は、データセンタ３００に設けられていて、ユーザはネットワーク３５０を介してデータセンタ３００にアクセスして、レイアウト候補の情報を取得することもできる。また、データセンタ３００は、棚割情報記憶部１２０と同様の構成の記憶部を含む構成とすることができる。ユーザは、ネットワーク３５０を介して、各携帯電話端末１００や営業所端末装置３６０で設定した各什器の商品のレイアウトの情報をデータセンタ３００に送信することができる。データセンタ３００は、複数の端末でそれぞれ設定された各店舗の各什器の商品のレイアウトを収集して管理することができる。データセンタ３００の構成は、一つのサーバにより構成されていてもよく、また複数の端末がＬＡＮ等のネットワークで接続された構成とすることもできる。
【００６５】
次に、本実施の形態におけるレイアウト作成支援システム２０の効果を説明する。
本実施の形態において、各什器の各基本フェイス毎に商品のレイアウトを設定するのではなく、フェイスグループ毎に当該フェイスグループに含まれる基本フェイスにおける商品のレイアウトを設定するので、効率よく各基本フェイスにおける商品のレイアウトを設定することができる。また、フェイスグループ毎にレイアウト候補を設定するので、ある程度レイアウト候補のパターンを絞り込むことができ、レイアウト候補の設定も簡易に行うことができる。
【００６６】
また、このようにして設定した各什器の商品のレイアウトの情報を棚割情報記憶部１２０に記憶して管理できるので、棚割情報記憶部１２０に記憶された情報に、さらにたとえば各什器の各基本フェイスに陳列された商品の商品コードや種類等を把握して、棚割情報記憶部１２０に追記することにより、棚割情報を管理することができる。
【００６７】
図１および図２３に示したレイアウト作成支援システム２０の各構成要素は、ハードウエア単位の構成ではなく、機能単位のブロックを示している。レイアウト作成支援システム２０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。また、たとえば、図２３において、本発明の本質に関わらない部分の構成については省略してあり、たとえば、一般的な携帯電話端末の構成である無線通信機能部、スピーカ、マイク等は図示していない。
【００６８】
以上、図面を参照して本発明の実施形態について述べたが、これらは本発明の例示であり、上記以外の様々な構成を採用することもできる。
【００６９】
なお、以上の実施の形態においては、ユーザが各什器の各フェイスグループに含まれる基本フェイス４１４での商品のレイアウトをそれぞれ入力する構成を示した。しかし、以下のようにすることもできる。たとえば既に商品のレイアウトが設定されている什器について、棚割情報記憶部１２０に、各什器が配置される店舗の種類等の店舗情報、各什器が店舗のどこに設置されるかを示す情報等も対応付けて記憶しておくこともできる。ここで、店舗情報は、たとえば店舗がコンビニエンスストア等のチェーン店であれば、チェーンを示す情報や、店舗の規模、店舗が都会に設置されているのか、駅の近くか等の店舗の設置場所の情報等とすることができる。また、各什器が店舗のどこに設置されるかを示す情報は、たとえば顧客が自分で商品を取る「セルフ」、レジの後ろに配置され店員が商品を取る「バックエンド」、「レジ前」等とすることができる。
【００７０】
棚割情報記憶部１２０にこのような情報を記憶しておき、商品のレイアウトを設定したい什器の什器情報等の入力を受け付ける際に、各什器が配置される店舗の種類等の店舗情報、各什器が店舗のどこに設置されるかを示す情報等の入力も受け付ける。この場合、レイアウト作成支援システム２０は、入力された店舗情報、各什器が店舗のどこに設置されるかを示す情報、什器のサイズ等に基づき、棚割情報記憶部１２０を検索して、類似の構成の什器を検出する類似什器検出部を含む構成とすることができる。表示処理部１０４は、類似什器検出部が検出した什器における商品のレイアウトをユーザのディスプレイに表示することができる。また、ユーザが、検出された什器の商品のレイアウトを選択した場合、商品のレイアウトを設定したい什器における商品のレイアウトのデフォルト情報として、入力テーブル５２２の什器モデルの入力ボックス５０３に、選択された什器の商品のレイアウトを表示するようにすることもできる。
【００７１】
このようにすれば、ユーザは、デフォルト情報を参考にして、変更したい入力ボックス５０３の情報のみ入力すればいいので、ユーザの手間を省略することができる。
【００７２】
また、以上の実施の形態においては、図４に示したように、什器サイズに対して、フェイスグループサイズが予め設定されている例を示した。また、以上の例では、１つの什器においては、同じサイズのフェイスグループが複数設定された例を示した。しかし、他の例において、一つの什器内に、サイズの異なる複数のフェイスグループをユーザが自由に設定できる構成とすることもできる。
【００７３】
この例を図２４に示す。たとえば、什器の列数として「４」が入力された場合、レイアウト欄５３０の各マス目内に、各基本フェイスを区切る破線およびフェイスグループ設定枠５１３が表示されるようにすることができる（図２４（ａ））。ここで、ユーザがフェイスグループ設定枠５１３のサイズを調整して設定することにより、什器モデル５０４ａ内に、フェイスグループ設定枠５１３で設定された種々のサイズの入力ボックス５０３が表示されるようにすることができる（図２４（ｂ））。
【００７４】
この後、指定枠５１２によりいずれか１つの入力ボックス５０３が選択されると、選択された入力ボックス５０３に対応するフェイスグループのサイズに対応して設定された複数のレイアウト候補のリストが表示され、選択できるようにすることができる。
【図１】
2011121988.tif 000003
【図２】
2011121988.tif 000004
【図３】
2011121988.tif 000005
【図４】
2011121988.tif 000006
【図５】
2011121988.tif 000007
【図６】
2011121988.tif 000008
【図７】
2011121988.tif 000009
【図８】
2011121988.tif 000010
【図９】
2011121988.tif 000011
【図１０】
2011121988.tif 000012
【図１１】
2011121988.tif 000013
【図１２】
2011121988.tif 000014
【図１３】
2011121988.tif 000015
【図１４】
2011121988.tif 000016
【図１５】
2011121988.tif 000017
【図１６】
2011121988.tif 000018
【図１７】
2011121988.tif 000019
【図１８】
2011121988.tif 000020
【図１９】
2011121988.tif 000021
【図２０】
2011121988.tif 000022
【図２１】
2011121988.tif 000023
【図２２】
2011121988.tif 000024
【図２３】
2011121988.tif 000025
【図２４】
2011121988.tif 000026
【図２５】
2011121988.tif 000027
【国際調査報告】
2011121988.tif 000028
2011121988.tif 000029